(57)【特許請求の範囲】
【請求項１】
通気性基材に銀杏から抽出された天然エキス成分が含有されてなることを特徴とするエアフィルター。
【請求項２】
通気性基材の形状が、平面状、又は立体状である請求項１記載のエアフィルター。
【請求項３】
エアフィルター中のフラボノール配糖体含有量が、０．０００４ｇ／ｍ２以上０．１５ｇ／ｍ２以下である請求項１または２記載のエアフィルター。
【請求項４】
エアフィルター中、フラボノール配糖体が、テルペンラクトン類に対し、３００質量％以上、１５００質量％以下含有されている請求項１〜３のいずれか１項記載のエアフィルター。
【請求項５】
請求項１〜４のいずれか１項記載のエアフィルターが装着されたことを特徴とする空気処理装置。
【請求項６】
エアフィルターへの天然エキス成分の含有量が、エアフィルターの通気性基材に対し０．１ｇ／ｍ２以上１０．０ｇ／ｍ２以下である請求項１〜４のいずれか１項記載のエアフィルター。
【請求項７】
エアフィルターへの天然エキス成分の含有量が、エアフィルターの通気性基材に対し０．５ｇ／ｍ２以上５．０ｇ／ｍ２以下である請求項６記載のエアフィルター。
【請求項８】
銀杏から抽出された天然エキス成分をエアフィルターの通気性基材に含有させることを特徴する銀杏エキスの使用方法。
【請求項９】
天然エキス成分が、フラボノール配糖体を、テルペンラクトン類に対し、３００質量％以上の量で含有するものである請求項８記載の使用方法。
【請求項１０】
エアフィルターへの天然エキス成分の含有量が、エアフィルターの通気性基材に対し０．１ｇ／ｍ２以上１０．０ｇ／ｍ２以下である請求項８又は９記載の使用方法。
【請求項１１】
エアフィルターへの天然エキス成分の含有量が、エアフィルターの通気性基材に対し０．５ｇ／ｍ２以上５．０ｇ／ｍ２以下である請求項８〜１０のいずれか１項記載の使用方法。
【請求項１２】
エアフィルターへのフラボノール配糖体の含有量が、通気性基材に対し０．０００４ｇ／ｍ２以上０．１５ｇ／ｍ２以下である請求項８〜１１のいずれか１項記載の使用方法。
【発明の詳細な説明】
【技術分野】
【０００１】  本発明は、通気性基材に銀杏から抽出された天然エキス成分（銀杏エキス）が含有されたことを特徴とするエアフィルター及びそれを用いた空気処理装置に関する。
【背景技術】
【０００２】  近年、生活環境の変化に伴い、かゆみ、鼻水、涙、くしゃみ、咳（喘息）といったアレルギー症状を訴える人が増加し、大きな社会問題となっている。アレルギーを誘発する物質として、杉、檜やセイタカアワダチソウの花粉といった植物由来物質、ダニの糞、死骸、犬や猫の体毛といった動物由来物質のタンパク質アレルゲンが注目され、これらを如何に除去するかが課題とされている。【０００３】  近年問題となっているアレルギーの多くは、大気中に浮遊するアレルゲン物質を吸い込むことにより体内で激しい抗原抗体反応が生じて起こるので、空気中のアレルゲン物質を何らかの方法で除去、捕集できればアレルギー症状を緩和できると考えられる。この様な背景において、フィルター分野では、除塵フィルターによって、花粉、ダニ（その派生物を含む）を捕集する技術は公知であり、その捕集精度が高められる傾向にはある。しかしながら、捕集したアレルゲンそのものを、フィルターにて低減化、不活性化する技術は未だ十分とは言えない。【０００４】  ダニや花粉などの生物由来のアレルゲンはタンパク質を主成分としているため、アレルゲンタンパク質を変性させることでアレルゲンとしての活性を失わせることができると考えられる。【０００５】  茶のカテキンを担持（含有）させたフィルター（例えば特許文献１参照）や酵素を担持させたフィルター（例えば特許文献２参照）等がエアフィルターとして開示されている。また、抗アレルゲン成分として芳香族ヒドロキシ化合物を担持させたマスク（例えば特許文献３参照）等が開示され、フィルターとしての利用が期待されている。【０００６】  一方、古くから植物由来のエキスには多くの生理活性作用が報告されており、健康食品や飲料に用いられている。中でも、銀杏から抽出されたエキスには、様々な薬理作用が報告されている。銀杏エキスには、多数のフラボノール配糖体、ギンコライド、ビバロイドなど、銀杏に固有の物質が含有されており、これらが他の植物エキスに見られない特異な生理活性を示すものと推測される。【０００７】  アレルギー反応を抑制する事に関して、一例を挙げると、ハーブ組成物およびアレルギー反応の治療（例えば特許文献４参照）、抗炎症または抗アレルギー作用を有し、副作用が少なく長期間摂取をすることが可能な組成物（例えば特許文献５参照）が開示されており、安全な天然成分として、服用することでアレルギー反応を抑えることが開示されている。銀杏葉エキスに含有される成分によって、人体に発生するアレルギー反応を抑制することができると考えられる。
これらはいずれも、外部から体内に侵入した異物（アレルゲン）により、アレルギー反応を引き起こす原因となる体内に過剰発生するヒスタミンを抑制する効果をうたったものであり、アレルゲンそのものに対する効果を説明したものではない。【０００８】  補足すれば、銀杏葉エキスを食品や薬品として服用することで様々な生理活性があることは報告されているが、不織布等の基材に担持した場合の生理活性について言及し、証明されたものも皆無である。すなわち、アレルゲンに対する直接のアレルゲン抑制作用、低減化作用について言及したものについては、その端緒すら見あたらない。当然銀杏エキスをアレルゲン低減化効果を持つエアフィルターとして応用された例はこれまで見られない。
なお、植物抽出エキスを、アトピー性皮膚炎患者の利用を念頭に、ハウスダスト処理剤として、スプレーからカーペットなどに噴霧して用いる方法の提案はある。（例えば、特許文献６、特許文献７参照。）あるいは、特定の使用者の呼吸を利用する事が前提の喫煙用フィルター（平面状フィルターではない。）の提案もある。（例えば、特許文献８参照。）
しかし、不特定多数の者（当然、各種の体質の者が混在する集団）が居住する空間に常に継続して個人別に調節された量ではない銀杏葉エキス成分が放散されるような利用方法を前提とした用途、例えば、通常は空気処理装置（例えば、空気清浄機）の部材として用いるエアフィルターに応用する提案はない。
【特許文献１】特開２０００−５５３１号公報
【特許文献２】特開２００３−２１０９１９号公報
【特許文献３】特開２００３−７９７５６号公報
【特許文献４】特表２００２−５４１１１５号公報
【特許文献５】特開２０００−１４３５４号公報
【特許文献６】特開２００２−１２８６８０号公報
【特許文献７】特開２００２−１２８６５９号公報
【特許文献８】特開平６−７８７３９号公報
【発明の開示】
【発明が解決しようとする課題】
【０００９】  本発明は、上記の課題を解決するものであり、通気性基材に銀杏エキスを担持させ、アレルゲンを不活性化させるエアフィルターを提供することを目的とする。さらには、複数の機能を有するエアフィルターを提供することを目的とするものである。
【課題を解決するための手段】
【００１０】  すなわち、本発明は以下の構成からなる。
（１）本発明は、通気性基材に銀杏から抽出された天然エキス成分が含有されたことを特徴とするエアフィルターに関する。
（２）詳しくは、通気性基材の形状が、平面状、又は立体状である上記（１）記載のエアフィルターに関する。
（３）より好ましくは、エアフィルター中のフラボノール配糖体含有量が、０．０００４ｇ／ｍ２以上０．１５ｇ／ｍ２以下である上記（１）又は（２）記載のエアフィルターに関する。
（４）更に好ましくは、エアフィルター中、フラボノール配糖体が、テルペンラクトン類に対し、３００質量％以上、１５００質量％以下含有されている上記（１）〜（３）のいずれかに記載のエアフィルターに関する。
（５）本発明は、また、上記（１）〜（４）のいずれかに記載のエアフィルターが装着されたことを特徴とする空気処理装置に関する。
（６）本発明は、また、銀杏から抽出された天然エキス成分のエアフィルターの通気性基材への用途に関する。
（７）本発明は、更に、銀杏から抽出された天然エキス成分をエアフィルターの通気性基材に含有させることを特徴する銀杏エキスの使用方法に関する。
【発明の効果】
【００１１】  本発明のエアフィルターは、通気性基材に銀杏エキスを担持して得られる。フィルター上に捕集したアレルゲンを不活性化できるので、エアフィルターとして有効である。更に、抗ウイルス性、抗菌性も有しており、これらは全く予想外の効果である。
銀杏エキスを含有したフィルターによって捕捉（フィルターと接触した）されたアレルゲン（例えば、ダニ、杉花粉由来のアレルゲン）が不活性化されることは、本発明によりはじめて不特定多数の者が利用する用途において実用的価値を持つものとなった。
【発明を実施するための最良の形態】
【００１２】  以下、本発明のエアフィルターについて詳細に説明する。【００１３】  本発明において、銀杏エキスとは、銀杏の葉、種子、樹皮、樹幹等から抽出されたエキスである。アレルゲンを構成するタンパク質を変成もしくは分解できるものであれば、特に限定はない。次に述べる様に、特に、銀杏の葉から抽出されたエキス（銀杏葉エキス）を好ましく用いるが、葉以外の部分由来のエキスでも特に支障ない。【００１４】  中でも、銀杏葉エキスには他の天然物抽出エキスには見られない多数の生理活性物質が含まれている。その一例としてケルセチン、イソラムネチン、ケンフェロールの３種のフラボノール配糖体、ギンコライド、ビロバリド等のテルペンラクトン類などが挙げられる。【００１５】  これら有効成分は、循環器機能改善、血流促進改善、老化防止、健胃、健眼、健脳などの様々な有用な機能を有することが知られている。銀杏葉エキスには約２０種類のフラボノール配糖体が含まれ、その中には銀杏葉にしか含まれない特殊な二重フラボンが６種類（ギンケラチン（ギンケチン）、イソギンケチン、ビロベチン、５−メドキシビロベチンアメントフラボン、シアドピチジン等）も含まれている。これには血管（特に毛細血管）を拡張し血行を促進させる機能がある。保水・保湿・皮膚柔軟性があり、シミ・ソバカスを予防する。【００１６】  また、テルペンラクトン類の中でも、特にギンコライドにはアレルギー反応を引き起こす物質（血小板活性化因子ＰＡＦ）の働きを抑える作用があり、服用することでアレルギー症の予防や改善に役立つと言われている。さらには、活性酸素を抑える働きがあり、その力はビタミンＥの数百倍あると言われている。
なお、銀杏葉エキス中に含まれるテルペンラクトン類としては、ジテルペン類のギンコライド（ギンコリド乃至ギンゴラドとも呼ばれる。）とセスキテルペン類のビロバライド（ビロバリド）とがある。また、ギンコライドは、更に、Ａ，Ｂ，Ｃ，Ｊの４種がある。【００１７】  上記のアレルギー反応の抑制効果と、本発明のエアフィルターの抗アレルゲン作用とは、その作用機構は全く異なる。アレルゲン不活性化の作用には未解明の部分もあるが、銀杏エキスを担持してなるフィルターは、これらの特有の成分の強力な複合作用によってフィルター上のアレルゲンを低減化させるだけでなく、抗ウィルスや抗菌作用を発現するものと推測される。【００１８】  銀杏エキスの抽出法には特に制限はなく、これまでに開示された方法によって得ることができる。一例を上げると、本発明に銀杏葉エキスを用いる場合は、水、エチルアルコール、アセトン、エチルエーテル、プロピレングリコール、ブチレングリコール、グリセリン、酢酸等の溶剤を用いて、銀杏葉より抽出することができるため、好ましい。抽出操作は特に制限はないが、例えば銀杏葉を用いる場合、銀杏葉エキスを効率的に抽出可能な量の溶媒を用いて抽出すればよい。また、抽出操作は１０〜８０℃の温度で、１〜２４時間行うのが更に好ましい。【００１９】  本発明の銀杏エキスは、上記のようにして得られた抽出液をそのまま用いても良いし、必要に応じ、常法に従って精製、濃縮、乾燥した成分を粉体として用いても良く、更に希釈したものを用いても良い。【００２０】  なお、上記の抽出法などにより得たエキスを高速液体クロマトグラフィーなどで分析すると、用いるエキスの品質確認が出来る。更に、本発明のエアフィルター中に含有される銀杏エキス成分の分析にも上記の抽出法をそのまま応用出来る。すなわち、フィルターから抽出操作して得た液を分析する事により、フィルター製造後の品質確認による安定生産が可能となる。【００２１】  銀杏エキスを用いて一定の品質のエアフィルターを得るためには、銀杏の部位（葉、種子、樹皮、樹幹等）により抽出エキス中の各種成分含有量に差があるという問題があった。特に葉については、季節、樹木への日照等により各種成分含有量が大きく変動する事が知られている。【００２２】  本発明者等は、鋭意検討の結果、銀杏エキス中の特定成分含有量の相対比を一定に保つ事により一定の品質のエアフィルターを製造出来る事を見出した。この銀杏エキス中の特定成分含有量の相対比はエアフィルターにも反映される。次にその詳細を述べる。【００２３】  銀杏エキス中には、フラボノール配糖体、テルペンラクトン類、アルキルフェノールなどの成分が含有されている。これらのうち、フラボノール配糖体の配合量は、テルペンラクトン類に対し、好ましくは３００質量％以上、１５００質量％以下、より好ましくは５００質量％以上、更に好ましくは６００質量％以上である。フラボノール配糖体の配合量が１５００質量％を超えると、抽出物を安定して得ることが困難になることがある。フラボノール配糖体が上記範囲で含有されている場合、本発明のエアフィルターのアレルゲン低減化などの効果が一定かつ持続して得られる。上記フラボノール配糖体の好ましい含有比率は���アフィルターにおける好ましい含有比率としてそのまま適用出来る。また、銀杏葉エキス溶液の上記成分の濃度は、銀杏葉エキス溶液に対し、好ましくは０．０１〜５質量％、より好ましくは、０．１〜３質量％である。【００２４】  上記成分比率を満たす銀杏エキスを簡便に得る方法としては、春の銀杏の若葉からの常法による抽出が挙げられる。（このエキスを以下、銀杏の若葉エキスと呼ぶ場合もある。）銀杏の若葉エキスにはフラボノール配糖体が比較的多く含まれ、一方、テルペンラクトン類は他の季節より少ないためである。但し、それぞれのエアフィルター中での含有量より、上記の成分比率の方が一定の効果を得るためにはより重要である。【００２５】  以上のエキス中の成分比率による品質管理はまた、銀杏の若葉エキス以外の銀杏エキス（季節の変わり目、夏あるいは秋の銀杏葉エキス、又は葉以外の部位からの銀杏エキス）の有効利用にも役立つ。例えば、抽出方法を変更し、フラボノール配糖体を出来るだけ多く、一方、テルペンラクトン類は出来るだけ少なく抽出する様に、抽出溶媒や抽出温度、時間などを変更出来る。また、銀杏の若葉エキスなどと混合したエキスが上記成分比率を満足すれば本発明に好ましく用いられる。
なお、銀杏には様々な亜種がありそれらからのエキス中の成分も変動するが、エキス中の成分比率による品質管理は上記と同様である。【００２６】  本発明のエアフィルターへの銀杏エキス含有量は、フィルターに対し、好ましくは０．１ｇ／ｍ２以上、１０．０ｇ／ｍ２以下、より好ましくは、０．５ｇ／ｍ２以上、５．０ｇ／ｍ２以下である。この範囲の量の銀杏エキスをフィルターに含有させることにより、アレルゲン低減化などの効果が満足な程度に得られるため好ましい。この下限を下回ると本発明の効果が充分に得られない場合がある。また、この上限を上回るとアレルゲン低減化などの効果は得られるものの、銀杏エキス自体の臭気が敏感な人には不快に感じられる恐れがある。但し、銀杏エキスは先に述べた様に、季節等により各種成分含有量に差異があるため、フィルター製造上、及び品質確認のための指標としては次に述べるフラボノール配糖体含有量によるのがより有効かつ実際的である。【００２７】  銀杏葉エキスのフィルターへの含有量が好ましいかどうかを知る簡便な手段としては、先に述べたフラボノール配糖体の含有量測定による方法がある。フラボノール配糖体含有量が、好ましくは０．０００４ｇ／ｍ２以上、０．１５ｇ／ｍ２以下、より好ましくは０．００２ｇ／ｍ２以上、０．１２ｇ／ｍ２以下であれば、エキスの含有量としても上記好ましい範囲にあるとみなせる。なお、好ましいエキス含有量の上限については分析よりはエキス特有の臭気の有無による官能検査が簡便である。より厳密に言うと、わずかに臭気が感じられる場合もそれが好ましい場合は良しとし、不快臭であれば不可とする。一方、含有量測定による方法を採用する場合は、フラボノール配糖体含有量が、０．１５ｇ／ｍ２以下であれば好ましい範囲とみなせる。
また、各種の植物抽出エキスを扱うなどの製造現場において、銀杏エキスと他の素材との取り違え防止のためには、エキスないしそれを含有するフィルターから例えば、ギンコライド等の銀杏エキスに特有の含有成分を検出する事により銀杏エキスと確認出来る。【００２８】  次に本発明、に用いる通気性基材について説明する。本発明において、使用される通気性基材の材質に特に制限はなく、使用する装置、機器の形状に対応するものであれば良い。平面状、又は立体状いずれの形状のものを用いても良い。【００２９】  平面上のものは、その一例として、シート状のものが挙げられる。織物、編み物、不織布、紙、ネット、通気性フォーム、金属多孔質体、開孔を施したフィルム等のシート状物から適宜選択することができるが、安価で、繊維配合、目付、厚みなどを制御しやすい点、穴開け加工等の後加工を行いやすい点から、不織布が好ましい基材の一つとして挙げられる。不織布の製法としてはスパンボンド法、メルトブロー法、乾式法（サーマルボンド法、レジンボンド法、ニードルパンチ法、スパンレース法、ステッチボンド法）、湿式法等の方法から少なくとも一つの方法を選択し用いることができる。必要に応じて、これらの複数の方法を組み合わせることができる。【００３０】  本発明で用いる通気性基材としてのシートに銀杏エキスを含有（担持）させる方法としては、銀杏エキスを通気性基材表面にできるだけ均一に形成できる方法であれば特に制限はなく、溶液あるいは分散液として、上記の通気性基材に塗工、含浸またはスプレーなどの方法によって付与し、溶媒や分散媒を乾燥等の方法で除去し、銀杏エキスを担持させる方法が例示される。溶液あるいは分散液の溶媒としては、銀杏エキス抽出に用いる各種溶媒などが挙げられる。また、基材の原料となる樹脂や金属などに練り混みなどの手段によって担持させる方法も挙げられる。また、上記の方法以外に湿式抄紙法における内添のように原料繊維をシート化する過程で、銀杏エキスを内添担持させる方法も挙げられる。【００３１】  銀杏エキス自体の基材への固着は強固であるが、より定着を強固にする場合、他の成分との併用や着色等により製品の外観を向上させる場合などには、銀杏エキスによる効果を阻害しない範囲において、少量のバインダー（接着剤）を用いることは好ましい方法の一つである。水性バインダーについて具体例を挙げる。水溶性のものとしては、例えば、ポリビニルアルコールやデンプンなどが挙げられる。また、水分散性のものとしては、例えば、ポリ（メタ）アクリル酸エステル類、ポリ酢酸ビニル、ポリ塩化ビニル、スチレン−ブタジエンラテックスなどが挙げられる。
また、必要に応じて、銀杏エキスの基材への担持をより安定にし、アレルゲン低減化等の効果をより長時間一定して持続させ、かつ、銀杏エキス臭を緩和するため、多孔質の粉末（例えば、活性炭やゼオライトの粉末など）を通気性基材中に含有させてもよい。【００３２】  また、これらの銀杏エキスを担持させたシートと他のシートを貼り合わせ等の方法で複合化したものも、平面状の基材として好ましい材料の一つである。【００３３】  本発明で用いる通気性基材の他形状としては立体形状のものがあり、ハニカム状、コルゲート状、プリーツ状のものが例示される。これらの基材を構成するための素材としては、先に挙げたシート状物を加工する他に、通気性に乏しいポリオレフィンやポリエステル等のプラスチックシート、アルミや銅などの金属板、厚紙等であってもよい。【００３４】  立体形状への加工前の段階で付与する方法の他に、立体形とした後、スプレー等の方法で付与する方法も好ましい。【００３５】  なお、必要に応じて、本発明の趣旨を逸脱せず、他の性能を付加する目的において、脱臭、より一層の抗菌、防黴、より一層の抗ウイルス、防虫、殺虫、消臭、芳香、感温、保温、畜温、蓄熱、発熱、吸熱、防水、耐水、撥水、疎水、親水、除湿、調湿、吸湿、撥油、親油、油などの吸着、および水や揮発性薬剤などの蒸散または徐放などの各種機能を新たに付加したものでも良い。【００３６】  本発明において、エアフィルターに、アレルゲンを不活性化する機能の他、先述したように通気性基材に脱臭機能、除塵機能、耐微生物機能、芳香付加機能、マイナスイオン付加機能の少なくとも１つの機能を付加させることも好ましい。【００３７】  本発明のエアフィルターは、空調機、空気清浄機、掃除機、除湿機、乾燥機、加湿機、換気扇、扇風機、熱交換装置等の、機械による強制給排気による空気処理装置に装着使用することでアレルゲン低減化などの好ましい効果が得られる。あるいは、自然給排気のための外気流入口（通気口や窓など）に本発明のエアフィルターを用いてもよい。空気清浄機等の場合、脱臭、除塵等の要求される機能をそれぞれの機能を持ったフィルターの併用によって得てもよい。
【実施例】
【００３８】  以下に実施例を挙げて本発明を具体的に説明するが、本発明の趣旨を逸脱しない範囲において、本実施例に限定されるものではない。【００３９】  （４月の銀杏葉エキスの抽出）
銀杏の乾燥葉（４月の若葉を乾燥したもの）１ｋｇに、エタノールおよび精製水の混合液（容積比１：１）８ｋｇを加え、２０〜４０℃で７時間攪拌抽出した。固形物を濾過した後、濾液を６０℃以下で全量が約１０分の１の容量になるまで減圧濃縮し、酢酸エチル０．５ｋｇを加えて十分に攪拌した後、静置・分液して下層部を得た。その下層部を減圧濃縮し、褐色の粘稠物を得た。該粘稠物を約３０倍のプロピレングリコールおよび精製水の混合液（容積比８：２）に溶解し、微量の不溶物を濾紙濾過し、８ｇの銀杏葉エキス溶液を得た。本品１ｇは、乾燥した銀杏葉エキス０．１ｇに相当する。
以下の各実施例に用いる場合は、必要量を得るまで上記操作を繰り返した。【００４０】  （実施例１〜７）
通気性基材として、４０ｇ／ｍ２のポリエステルスパンボンド不織布を用い、該不織布に上記の銀杏葉エキス溶液をスプレー法にて均一塗布し、１２０℃で乾燥することにより、実施例のエアフィルターを作製した。なお、銀杏葉エキスの塗布量は、乾燥した銀杏葉エキス含有量として１ｇ／ｍ２（実施例１）、５ｇ／ｍ２（実施例２）、１０ｇ／ｍ２（実施例３）、１５ｇ／ｍ２（実施例４）、０．４ｇ／ｍ２（実施例５）、０．０４ｇ／ｍ２（実施例６）、０．００４ｇ／ｍ２（実施例７）の７水準とした。なお、それぞれの塗布量をフラボノール配糖体含有量に換算すると、０．０１ｇ／ｍ２（実施例１）、０．０５ｇ／ｍ２（実施例２）、０．１０ｇ／ｍ２（実施例３）、０．１５ｇ／ｍ２（実施例４）、０．００４ｇ／ｍ２（実施例５）、０．０００４ｇ／ｍ２（実施例６）、０．００００４ｇ／ｍ２（実施例７）であった。また、フラボノール配糖体は、テルペンラクトン類に対し、いずれも６５０質量％含有されていた。【００４１】（５月の葉からの銀杏葉エキスの抽出）
５月の銀杏葉を乾燥して用い、上記の４月の銀杏葉エキスの抽出での方法と同様にして８ｇの銀杏葉エキス溶液を得た。本品１ｇは、乾燥した銀杏葉エキス０．１ｇに相当する。
以下の各実施例に用いる場合は、必要量を得るまで上記操作を繰り返した。【００４２】  （実施例８〜１２）
上記の５月の銀杏葉より得た銀杏葉エキス溶液を用い、実施例１〜７の場合と同様にしてエアフィルターを得た。なお、銀杏葉エキスの塗布量は、乾燥した銀杏葉エキス含有量として１ｇ／ｍ２（実施例８）、５ｇ／ｍ２（実施例９）、１０ｇ／ｍ２（実施例１０）、２０ｇ／ｍ２（実施例１１）、０．５ｇ／ｍ２（実施例１２）の５水準とした。なお、それぞれの塗布量をフラボノール配糖体含有量に換算すると、０．００６ｇ／ｍ２（実施例８）、０．０３ｇ／ｍ２（実施例９）、０．０６ｇ／ｍ２（実施例１０）、０．１２ｇ／ｍ２（実施例１１）、０．００３ｇ／ｍ２（実施例１２）であった。また、フラボノール配糖体は、テルペンラクトン類に対し、いずれも５００質量％含有されていた。【００４３】（６月の葉からの銀杏葉エキスの抽出）
６月の銀杏葉を乾燥して用い、上記の４月の銀杏葉エキスの抽出での方法と同様にして８ｇの銀杏葉エキス溶液を得た。本品１ｇは、乾燥した銀杏葉エキス０．１ｇに相当する。
以下の各実施例に用いる場合は、必要量を得るまで上記操作を繰り返した。【００４４】  （実施例１３〜１６）
上記の６月の銀杏葉より得た銀杏葉エキス溶液を用い、実施例１〜１２の場合と同様にしてエアフィルターを得た。なお、銀杏葉エキスの塗布量は、乾燥した銀杏葉エキス含有量として１ｇ／ｍ２（実施例１３）、５ｇ／ｍ２（実施例１４）、１０ｇ／ｍ２（実施例１５）、３０ｇ／ｍ２（実施例１６）の４水準とした。なお、それぞれの塗布量をフラボノール配糖体含有量に換算すると、０．００４ｇ／ｍ２（実施例１３）、０．０２ｇ／ｍ２（実施例１４）、０．０４ｇ／ｍ２（実施例１５）、０．１２ｇ／ｍ２（実施例１６）であった。また、フラボノール配糖体は、テルペンラクトン類に対し、いずれも３００質量％含有されていた。【００４５】  （比較例１）
実施例のポリエステルスパンボンド不織布を比較例１のフィルターとした。【００４６】  （比較例２および３）
実施例２および３で用いた銀杏葉エキス溶液に替えて、茶葉から抽出した市販のカテキンエキス（伊藤園社製、商品名テアフラン）を水溶液として使用する点を除いて、実施例２および３と同様の方法により、比較例２および３のフィルターを作製した。（実施例２と、比較例２、実施例３と比較例３のエキス含有量がそれぞれ対応している。）【００４７】  以上、実施例１〜１６のエアフィルター、比較例１〜３のフィルターを下記の性能試験に従って評価し、その結果を表１に示した。なお、下記各試験は、２５℃、５０％ＲＨ（相対湿度）の条件で行なった。【００４８】［アレルゲン不活性化試験］
１．試薬の調製
１−１．アレルゲン溶液の調製
精製ダニアレルゲンｒＤｅｒｆ２（生化学工業社製）をＰＢＳ（−）に溶解し、試験用アレルゲン溶液として５００ｎｇ／ｍｌとなるように調製した。
１−２．抗体溶液の調製
抗ｒＤｅｒｆ２モノクローナル抗体１５Ｅ１１（生化学工業社製）を２μｇ／ｍｌの濃度となるようにＰＢＳ（−）で希釈した。
１−３．標識抗体溶液の調製
西洋ワサビペルオキシダーゼ標識抗ｒＤｅｒｆ２モノクローナル抗体１３Ａ４ＰＯ（生化学工業社製）をＰＢＳ−Ｔで５０００倍希釈した。ＰＢＳ−Ｔについては、０．５ｇのＴｗｅｅｎ２０を１０００ｍｌのＰＢＳ（−）に溶解して使用した。
１−４．１％−ＢＳＡ−ＰＢＳ（−）の調製
０．２ｇのＢＳＡを２０ｍｌのＰＢＳ（−）に溶解して使用した。
１−５．０．３ｍｇ／ｍｌ−ＡＢＴＳ（基質溶液）の調製
３ｍｇのＡＢＴＳを１０ｍｌの０．３Ｍ−Ｃｉｔｒａｔｅ  ｂｕｆｆｅｒ（ｐＨ４．０）で溶解し、これに１０μｌの３０％過酸化水素を添加して使用した。【００４９】２．試験方法
本試験方法はエアフィルター上で捕捉したアレルゲンが、不活性化される事の確認試験である。
２−１．概要
実施例１〜１６及び比較例１〜３で得たエアフィルターをそれぞれ２ｍｍ×４ｍｍの大きさに裁断し検体とし個々に試験した。検体を４８ウェルプレートの底に置き、１ウェル当たり３００μｌのアレルゲン溶液（５００ｎｇ／ｍｌ）を添加し、室温で２時間静置した。静置後、５０μｌを採取し、その中に存在するアレルゲン濃度をサンドイッチＥＬＩＳＡ法により定量した。サンドイッチＥＬＩＳＡ法の詳細は以下の通りである。【００５０】２−２．サンドイッチＥＬＩＳＡ法
（１）コーティング溶液（抗体溶液、２μｇ／ｍｌ）５０μｌをＥＬＩＳＡプレートの各ウェルに添加し、４℃で一晩静置した。
（２）コーティング溶液を除去し、３００μｌのＰＢＳ（−）で３回洗浄後、２００μｌの１％−ＢＳＡ−ＰＢＳ（−）を添加し、室温で１時間静置した。
（３）ＥＬＩＳＡプレートを３００μｌのＰＢＳ−Ｔで３回洗浄後、検体と２時間接触させたアレルゲン溶液５０μｌを採取して添加し、室温で２時間静置した。
（４）ＥＬＩＳＡプレートを３００μｌのＰＢＳ−Ｔで３回洗浄後、標識抗体溶液を５０μｌ添加して、室温で２時間静置した。
（５）ＥＬＩＳＡプレートを３００μｌのＰＢＳ−Ｔで３回洗浄後、１００μｌの０．３ｍｇ／ｍｌ−ＡＢＴＳを添加して室温で発色させ、２０〜３０分反応後にミキシングさせ、マイクロプレートリーダーにより４０５ｎｍの吸光度を測定した。
（６）吸光度より検体接触させたアレルゲン溶液中の精製ダニアレルゲンｒＤｅｒｆ２濃度（Ａｎｇ／ｍｌ）を算出し、当該算出値と初期のアレルゲン溶液中の精製ダニアレルゲンｒＤｅｒ２濃度（５００ｎｇ／ｍｌ）とを比較することにより、アレルゲン除去率（％；１００×（５００−Ａ）／５００）を求めた。【００５１】［ウィルス不活性化試験］
実施例１〜１６及び比較例１〜３で得たエアフィルターをそれぞれ３ｃｍ×３ｃｍの大きさに裁断して検体とし個々に試験した。検体に、インフルエンザウィルス浮遊液を滴下し、室温にて保存し、２４時間後のウィルス感染価を測定した。詳細は以下の通りである。
１．試験ウィルス
インフルエンザウィルスＡ型（Ｈ１Ｎ１）を使用した。
２．使用細胞
ＭＤＣＫ（ＮＢＬ−２）細胞ＡＴＣＣ  ＣＣＬ−３４株（大日本製薬社製）を使用した。
３．使用培地
３−１．細胞増殖培地
Ｅａｇｌｅ  ＭＥＭ（０．０６ｍｇ／ｍｌカナマイシン含有）に新生コウシ血清を１０％加えたものを使用した。
３−２．細胞維持培地
Ｅａｇｌｅ  ＭＥＭ＝１０００ｍｌ、１０％炭酸水素ナトリウム水溶液＝３４ｍｌ、Ｌ−グルタミン（３０ｇ／ｌ）＝９．８ｍｌ、１００×ＭＥＭ用ビタミン液＝３０ｍｌ、１０％−アルブミン＝２０ｍｌ、トリプシン（５ｍｇ／ｍｌ）＝２ｍｌの組成の培地を使用した。
４．ウィルス浮遊菌の調整
４−１．細胞の培養
細胞増殖培地を用い、ＭＤＣＫ細胞を組織培養フラスコ内に単層培養した。
４−２．ウィルスの接種
単層培養後にフラスコ内から細胞増殖培地を除き、試験ウィルスを接種した。次に、細胞維持培地を加えて３７℃の炭酸ガスインキュベーター（炭酸ガス濃度：５％）内で２〜５日間培養した。
４−３．ウィルス浮遊液の調製
培養後、倒立位相差顕微鏡を用いて細胞の形態を観察し、細胞に形態変化（細胞変性効果）が起こっていることを確認した。次に、培養液を遠心分離（３０００ｒｐｍ×１０分間）し、得られた上澄み液をウイスル浮遊液とした。
５．試料の調製
実施例１〜１６及び比較例１〜３で得たエアフィルターをそれぞれ３ｃｍ×３ｃｍの大きさに裁断した検体を湿熱滅菌（１２１℃×１５分間）したものを試料とした。
６．試験操作
試料にウィルス浮遊液０．２ｍｌを滴下し、室温にて保存した。また、プラスチックシャーレを対照試料として、同様に試験した。
７．ウィルスの洗い出し
２４時間保存した後、試料中のウィルス浮遊液を細胞維持培地２ｍｌで洗い出した。
８．ウィルス感染価の測定
細胞増殖培地を用い、ＭＤＣＫ細胞を組織培養用マイクロプレート（９６穴）内で単層培養した後、細胞増殖培地を除き細胞維持培地を０．１ｍｌずつ加えた。次に、洗い出し液およびその希釈液０．１ｍｌを４穴ずつに接種し、３７℃の炭酸ガスインキュベーター（炭酸ガス濃度：５％）内で４〜７日間培養した。培養後、倒立位相差顕微鏡を用いて細胞の形態変化（細胞変性効果）の有無を観察し、Ｒｅｅｄ−Ｍｕｅｎｃｈ法により５０％組織培養感染量（ＴＣＩＤ５０）を算出して洗い出し液１ｍｌ当たりのウィルス感染価に換算した。ウィルス接種直後（対照）および２４時間保存後（試料）の洗い出し液１ｍｌ当たりのＴＣＩＤ５０の対数値（ｌｏｇＴＣＩＤ５０／ｍｌ）を比較し、ウィルス不活性化性能の指標とした。なお、ｌｏｇＴＣＩＤ５０／ｍｌ＜１．５を検出限界とした。【００５２】［抗菌性試験］
ＪＩＳ  Ｚ  ２８０１：２０００「抗菌加工製品−抗菌性試験方法・抗菌効果」５．２プラスチック製品などの試験方法に準拠して、実施例１〜１６及び比較例１〜３で得たエアフィルターより得た各検体の抗菌力試験を行った。試験菌種は、大腸菌および黄色ぶどう球菌を用いた。抗菌力は抗菌活性値を指標とした。【００５３】
【表１】
0004550060.tif 000002
【００５４】［空気清浄機へエアフィルターを装着しての実使用試験］
抗アレルゲンフィルターによるアレルゲン不活性化効果の測定として、エアコンディショナーの外気吸い込み口に、実施例１〜３及び比較例１で作成したフィルターを装着し、１日に約３時間、送風状態で７日間運転させた。ダストサンプラー（シントーファイン株式会社製）及びマイティフェルト（シントーファイン株式会社製）装着した掃除機で、装着フィルター上に捕集したダストを、それぞれのマイティフェルトに吸引した。ダストを採取したフェルトをチャック付きビニル袋に入れ、リン酸緩衝液（ｐＨ７．０、牛血清アルブミン１５重量％含有）１０ｍＬを加えてよく揉み、ダニアレルゲンを抽出した。ダニアレルゲン量の判定には、屋内塵性ダニ簡易検査キットであるマイティチェッカー（シントーファイン株式会社製）を使用した。ダニアレルゲンの判定結果を以下の表２に示す。【００５５】
【表２】
0004550060.tif 000003
表中、ダニアレルゲン量の判定基準は以下のとおりである。
＋＋：濃くはっきりとしたライン。
＋：ラインであることがはっきりと分かる。
＋−：うっすらと発色しているのが分かる。
−：全く発色していない。
以上から、本発明の抗アレルゲンフィルターは、フィルター上に捕捉したアレルゲンを低減化できることが確認できた。【００５６】  本発明のエアフィルターは、抗アレルゲン性のみならず、抗ウィルス性および抗菌性を兼ね備えた多機能のエアフィルターであり、それを空気処理機（上記の例では空気清浄機）に用いることなどにより、好ましい環境を提供出来ることが実証された。また、特に人体の呼吸器等への影響や臭気の問題は無かった。【００５７】  一方、茶葉抽出カテキンは、銀杏の葉エキス中のフラボノール配糖体とは構造が相違する３−ヒドロキシフラバン構造を有しているが、それを含有する茶葉抽出エキスを用いたエアフィルターは、十分な抗菌性を有するものの、抗アレルゲン性は不十分なことが確認された。本文中で詳述した銀杏エキス特有の諸成分が極めて有効に作用した結果、当該差異が生じたものと推定される。【００５８】  なお、本願により得られるエアフィルターの抗ウイルス性や抗菌性効果は少なくともフィルター上で発現しているので、それを装着した空気処理装置等によりウイルスや細菌についで改善された大気が室内に供給される事は容易に推定出来る。
【産業上の利用可能性】
【００５９】  本発明のエアフィルターは、捕集したアレルゲンを不活性化できる。さらに、抗ウィルス性および抗菌性も具備しているので、空調機、空気清浄機、掃除機、除湿機、乾燥機、加湿機、換気扇、熱交換装置等の各種空気処理装置のエアフィルターに利用出来る。また、加湿機の加湿エレメント、水回りの除菌剤、あるいはマスク、ウェットワイパー、フロアワイパーにも利用出来る可能性がある。